【手続補正書】
【提出日】平成26年8月8日(2014.8.8)
【手続補正１】
【補正対象書類名】特許請求の範囲
【補正対象項目名】全文
【補正方法】変更
【補正の内容】
【特許請求の範囲】
【請求項１】
光学部材を備えたアクセサリを着脱可能な撮像装置であって、
垂直同期信号を生成して出力する信号生成手段と、
前記垂直同期信号に同期して電荷蓄積を行い撮像信号を出力する撮像手段と、
クロック信号を生成し、当該クロック信号に基づき、装着されたアクセサリとのデータ通信を制御する制御手段と、
前記クロック信号を前記アクセサリに送信するための第１の端子と、
前記アクセサリとデータを通信するための第２の端子とを有し、
前記制御手段は、前記第２の端子を介した所定バイトのデータ通信後、前記第１の端子の信号レベルを所定のレベルから変化させることにより、前記クロック信号を利用して前記垂直同期信号の出力タイミングを前記第１の端子を介して前記アクセサリに通知することで、当該通知に基づくタイミングで前記アクセサリが前記光学部材の駆動制御を可能とすることを特徴とする撮像装置。
【請求項２】
前記制御手段は、前記垂直同期信号の出力に同期して前記クロック信号の送信を開始することを特徴とする請求項１に記載の撮像装置。
【請求項３】
前記制御手段は、前記第１の端子を介した前記垂直同期信号の通知に同期して前記第２の端子を介してデータ送信を行うことにより、前記光学部材の駆動に関するデータを前記アクセサリに送信することを特徴とする請求項１又は２に記載の撮像装置。
【請求項４】
前記制御手段は、前記撮像手段の電荷蓄積動作に同期して、前記光学部材の駆動タイミングを制御することを特徴とする請求項１乃至３のいずれか１項に記載の撮像装置。
【請求項５】
前記撮像信号を用いて焦点信号を生成する焦点信号生成手段を有し、
前記制御手段は、前記焦点信号に対応する前記撮像手段の電荷蓄積中に前記光学部材を停止させるように、前記光学部材の駆動タイミングを制御することを特徴とする請求項１乃至４のいずれか１項に記載の撮像装置。
【請求項６】
前記光学部材は、フォーカスレンズ、絞り、ＮＤフィルタのうち少なくとも一つを含むことを特徴とする請求項１乃至５のいずれか１項に記載の撮像装置。
【請求項７】
前記制御手段は、前記所定バイトのデータ通信後、前記第１の端子の信号レベルが前記所定のレベルに維持されて所定時間経過した後で当該信号レベルを変化させることにより、前記クロック信号を利用して前記垂直同期信号の出力タイミングを前記アクセサリに通知し、
前記所定時間は、前記第２の端子を介した前記所定バイトのデータ通信中に前記第１の端子の信号レベルが前記所定のレベルに維持される時間より長いことを特徴とする請求項１乃至６のいずれか１項に記載の撮像装置。
【請求項８】
前記垂直同期信号を前記アクセサリに送信するための端子を前記第１の端子と別に設けないように構成されていることを特徴とする請求項１乃至７のいずれか１項に記載の撮像装置。
【請求項９】
前記所定バイトのデータは、前記光学部材の駆動に関するデータを含むことを特徴とする請求項１乃至８のいずれか１項に記載の撮像装置。
【請求項１０】
前記制御手段は、前記アクセサリとデータを通信するモードとして、前記垂直同期信号に同期して前記クロック信号を送信し、当該クロック信号に基づいてデータを通信する第１の通信モードと、前記垂直同期信号に同期せずに前記クロック信号を送信し、当該クロック信号に基づいてデータを通信する第２の通信モードを有することを特徴とする請求項１乃至９のいずれか１項に記載の撮像装置。
【請求項１１】
前記アクセサリが装着された場合、前記制御手段は、前記第２の通信モードで前記アクセサリとデータ通信を行い、当該第２の通信モードで受信したデータに基づいて、当該アクセサリが前記第１の通信モードに対応可能かどうかを判定することを特徴とする請求項１０に記載の撮像装置。
【請求項１２】
垂直同期信号に同期して電荷蓄積を行い撮像信号を出力する撮像手段を備えるとともに、クロック信号を送信し、当該クロック信号を利用して前記垂直同期信号の出力タイミングを通知する撮像装置に着脱可能なアクセサリであって、
光学部材と、
装着された撮像装置からクロック信号を受信するための第１のアクセサリ側端子と、
前記撮像装置とデータを通信するための第２のアクセサリ側端子と、
前記クロック信号に基づいて前記撮像装置とのデータ通信を制御し、前記撮像装置から受信したデータに基づいて前記光学部材の駆動を制御するアクセサリ側制御手段とを有し、
前記アクセサリ側制御手段は、前記第２のアクセサリ側端子を介した所定バイトのデータ通信後、前記第１のアクセサリ側端子の信号レベルが所定のレベルから変化したことを検知した場合、当該変化のタイミングに基づいて、前記光学部材の駆動を制御することを特徴とするアクセサリ。
【請求項１３】
前記アクセサリ側制御手段は、受信した前記所定バイトのデータに基づいて、前記光学部材の駆動を制御することを特徴とする請求項１２に記載のアクセサリ。
【請求項１４】
前記アクセサリ側制御手段は、前記所定バイトのデータ通信後、前記第１のアクセサリ側端子の信号レベルが前記所定のレベルを維持して所定時間経過する前に当該信号レベルが変化した場合、当該変化のタイミングに基づいて前記光学部材の駆動を行わないことを特徴とする請求項１２または１３に記載のアクセサリ。
【請求項１５】
前記アクセサリ側制御手段は、前記所定バイトのデータ通信後、前記第１のアクセサリ側端子の信号レベルが前記所定のレベルを維持して前記所定時間経過した後で当該信号レベルが変化したタイミングに基づいて、前記光学部材の駆動を制御することを特徴とする請求項１４に記載のアクセサリ。
【請求項１６】
前記所定時間は、前記第２のアクセサリ側端子を介した前記所定バイトのデータ通信中に前記第１のアクセサリ側端子の信号レベルが前記所定のレベルに維持される時間より長いことを特徴とする請求項１４または１５に記載のアクセサリ。
【請求項１７】
前記アクセサリ側制御手段は、前記第２のアクセサリ側端子を介して前記光学部材の駆動タイミングについてのデータを受信し、当該駆動タイミングについてのデータに基づいて、前記光学部材の駆動を制御することを特徴とする請求項１２乃至１６のいずれか１項に記載のアクセサリ。
【請求項１８】
前記アクセサリ側制御手段は、前記撮像手段の電荷蓄積動作に同期して前記光学部材の駆動を制御することを特徴とする請求項１２乃至１７のいずれか１項に記載のアクセサリ。
【請求項１９】
前記撮像装置は、前記撮像信号を用いて焦点信号を生成する焦点信号生成手段を有し、
前記アクセサリ側制御手段は、前記焦点信号に対応する前記撮像手段の電荷蓄積中に前記光学部材を停止させるよう制御することを特徴とする請求項１２乃至１８のいずれか１項に記載のアクセサリ。
【請求項２０】
前記光学部材は、フォーカスレンズ、絞り、ＮＤフィルタのうち少なくとも一つを含むことを特徴とする請求項１２乃至１９のいずれか１項に記載のアクセサリ。
【請求項２１】
前記垂直同期信号を前記撮像装置から受信するための端子を前記第１のアクセサリ側端子と別に設けないように構成されていることを特徴とする請求項１２乃至２０のいずれか１項に記載のアクセサリ。
【請求項２２】
前記アクセサリ側制御手段は、前記撮像装置とデータを通信するモードとして、前記垂直同期信号に同期して前記クロック信号を受信し、当該クロック信号に基づいてデータを通信する第１の通信モードと、前記垂直同期信号に同期せずに前記クロック信号を受信し、当該クロック信号に基づいてデータを通信する第２の通信モードを有することを特徴とする請求項１２乃至２１のいずれか１項に記載のアクセサリ。
【請求項２３】
前記アクセサリが前記撮像装置に装着された場合、前記アクセサリ制御手段は、前記第２の通信モードで前記撮像装置とデータ通信を行い、当該アクセサリが前記第１の通信モードに対応可能であることを示すデータを前記撮像装置に送信することを特徴とする請求項２２に記載のアクセサリ。
【請求項２４】
光学部材を備えたアクセサリを着脱可能で、装着されたアクセサリと通信するための第１の端子及び第２の端子とを備えた撮像装置の制御方法であって、
垂直同期信号を生成して出力する信号生成ステップと、
前記垂直同期信号に同期して電荷蓄積を行い撮像信号を出力する撮像ステップと、
クロック信号を生成し、当該クロック信号に基づき、装着されたアクセサリとのデータ通信を制御する制御ステップと、
前記クロック信号を、前記第１の端子を介して前記アクセサリに送信する送信ステップと、
前記第２の端子を介して前記アクセサリとデータを通信するデータ通信ステップとを有し、
前記データ通信ステップで前記第２の端子を介した所定バイトのデータ通信後、前記制御ステップにおいて、前記第１の端子の信号レベルを所定のレベルから変化させることにより、前記クロック信号を利用して前記垂直同期信号の出力タイミングを前記第１の端子を介して前記アクセサリに通知することで、当該通知に基づくタイミングで前記アクセサリが前記光学部材の駆動制御を可能とすることを特徴とする撮像装置の制御方法。
【請求項２５】
垂直同期信号に同期して電荷蓄積を行い撮像信号を出力する撮像手段を備えるとともに、クロック信号を送信し、当該クロック信号を利用して前記垂直同期信号の出力タイミングを通知する撮像装置に着脱可能で、光学部材と、装着された撮像装置と通信するための第１のアクセサリ側端子及び第２のアクセサリ側端子を備えたアクセサリの制御方法であって、
前記第１のアクセサリ側端子を介して前記撮像装置からクロック信号を受信する受信ステップと、
第２のアクセサリ側端子を介して前記撮像装置とデータを通信するデータ通信ステップと、
前記クロック信号に基づいて前記撮像装置とのデータ通信を制御する制御ステップと、
前記撮像装置から受信したデータに基づいて前記光学部材の駆動を制御する駆動制御ステップとを有し、
前記データ通信ステップで前記第２のアクセサリ側端子を介した所定バイトのデータ通信後、前記第１のアクセサリ側端子の信号レベルが所定のレベルから変化したことが検知された場合、前記駆動制御ステップにおいて、当該変化のタイミングに基づいて、前記光学部材の駆動を制御することを特徴とするアクセサリの制御方法。
【手続補正２】
【補正対象書類名】明細書
【補正対象項目名】０００９
【補正方法】変更
【補正の内容】
【０００９】
上記目的を達成するために、第１の本発明は、光学部材を備えたアクセサリを着脱可能な撮像装置であって、垂直同期信号を生成して出力する信号生成手段と、前記垂直同期信号に同期して電荷蓄積を行い撮像信号を出力する撮像手段と、クロック信号を生成し、当該クロック信号に基づき、装着されたアクセサリとのデータ通信を制御する制御手段と、前記クロック信号を前記アクセサリに送信するための第１の端子と、前記アクセサリとデータを通信するための第２の端子とを有し、前記制御手段は、前記第２の端子を介した所定バイトのデータ通信後、前記第１の端子の信号レベルを所定のレベルから変化させることにより、前記クロック信号を利用して前記垂直同期信号の出力タイミングを前記第１の端子を介して前記アクセサリに通知することで、当該通知に基づくタイミングで前記アクセサリが前記光学部材の駆動制御を可能とすることを特徴とする撮像装置である。
【手続補正３】
【補正対象書類名】明細書
【補正対象項目名】００１０
【補正方法】変更
【補正の内容】
【００１０】
第２の本発明は、垂直同期信号に同期して電荷蓄積を行い撮像信号を出力する撮像手段を備えるとともに、クロック信号を送信し、当該クロック信号を利用して前記垂直同期信号の出力タイミングを通知する撮像装置に着脱可能なアクセサリであって、光学部材と、装着された撮像装置からクロック信号を受信するための第１のアクセサリ側端子と、前記撮像装置とデータを通信するための第２のアクセサリ側端子と、前記クロック信号に基づいて前記撮像装置とのデータ通信を制御し、前記撮像装置から受信したデータに基づいて前記光学部材の駆動を制御するアクセサリ側制御手段とを有し、前記アクセサリ側制御手段は、前記第２のアクセサリ側端子を介した所定バイトのデータ通信後、前記第１のアクセサリ側端子の信号レベルが所定のレベルから変化したことを検知した場合、当該変化のタイミングに基づいて、前記光学部材の駆動を制御することを特徴とするアクセサリである。